(57)【要約】【課題】  複数の映像データを元に簡易な操作でダイジェスト映像を作成することのできる記録装置を提供する。【解決手段】  第１の記憶媒体から映像データを読込む読込手段と、前記記憶媒体に記憶された前記映像データを複数選択する第１の選択手段と、前記第１の選択手段により選択された複数の前記録画データから、其々の１以上のシーンを選択する第２の選択手段と、前記読込手段が第１の記憶媒体から読み込んだ映像データのうち、前記第２の選択手段で選択された各シーンを第２の記憶媒体に記録する記録手段とを備える。【選択図】      図２
2009089053.tif 000002
【特許請求の範囲】
【請求項１】
第１の記憶媒体から映像データを読込む読込手段と、
前記記憶媒体に記憶された前記映像データを複数選択する第１の選択手段と、
前記第１の選択手段により選択された複数の前記録画データから、其々の１以上のシーンを選択する第２の選択手段と、
前記読込手段が第１の記憶媒体から読み込んだ映像データのうち、前記第２の選択手段で選択された各シーンを第２の記憶媒体に記録する記録手段と
を備えることを特徴とする記録装置。
【請求項２】
前記第１の記憶媒体は、階層構造を持つフォルダ構造により前記映像データを管理し、
前記第１の選択手段は、１のフォルダ内に格納される前記映像データを選択すること
を特徴とする請求項１記載の記録装置。
【請求項３】
前記第２の選択手段は、前記第１の選択手段により選択された前記映像データから、其々奇数番目又は偶数番目のシーンを選択すること
を特徴とする請求項２記載の記録装置。
【請求項４】
前記第１の記憶媒体から読み込んだ映像データのうちの選択されたシーンの前記記録手段による前記第２の記憶媒体への記録に伴い、少なくとも該シーンを前記第１の記憶媒体から削除する削除手段
をさらに備えることを特徴とする請求項２記載の記録装置。
【請求項５】
前記削除手段は、前記第１の記憶媒体から読み込んだ映像データのうちの選択されたシーンの前記記録手段による前記第２の記録媒体への記録に伴い、該映像データ全体を前記第１の記憶媒体から削除すること
を特徴とする請求項４記載の記録装置。
【請求項６】
前記削除手段は、前記第１の選択手段により選択された前記映像データであって複数のシーンに分割されていない前記映像データを、前記第１の記憶媒体から削除すること
を特徴とする請求項４又は請求項５記載の記録装置。
【請求項７】
前記第２の選択手段により選択された１以上のシーンを、前記記録手段による前記第２の記録媒体への記録前に再生する再生手段
をさらに備えることを特徴とする請求項６記載の記録装置。
【発明の詳細な説明】
【技術分野】
【０００１】
本発明は、例えば光ディスク等の記録媒体に映像データを記録する機能を持つ記録装置に関する。
【背景技術】
【０００２】
近年、ＤＶＤ（Ｄｉｇｉｔａｌ  Ｖｅｒｓａｔｉｌｅ  Ｄｉｓｋ）レコーダ、ＨＤＤ（Ｈａｒｄ  Ｄｉｓｋ  Ｄｒｉｖｅ）レコーダ等、映像データを記録する機能を持つ記録装置が広く普及している。
【０００３】
このような記録装置の中には、放送波から得られる映像データをＨＤＤ等の記録媒体に記録（録画）する機能に加えて、該ＨＤＤに記録された映像データを編集して特定の１以上のシーンを集めてダイジェスト映像としてＤＶＤ等の記録媒体に記録する機能を有しているものも考えられている（例えば、特許文献１参照）。特許文献１には、入力した映像の中から特定のシーンを選択してダイジェスト映像を作成するダイジェスト映像作成技術が開示されている。
【特許文献１】特開２００６−１４８３９７号公報
【発明の開示】
【発明が解決しようとする課題】
【０００４】
しかしながら、特許文献１記載には、単一の映像データについてダイジェスト映像を作成するダイジェスト映像作成技術しか開示されておらず、複数の映像データからダイジェスト映像を作成する場合については考慮されていない。
【０００５】
そこで本発明は、複数の映像データを元に簡易な操作でダイジェスト映像を作成することのできる記録装置を提供することを目的とする。
【課題を解決するための手段】
【０００６】
上記目的を達成するために、本発明の記録装置は、第１の記憶媒体から映像データを読込む読込手段と、前記記憶媒体に記憶された前記映像データを複数選択する第１の選択手段と、前記第１の選択手段により選択された複数の前記録画データから、其々の１以上のシーンを選択する第２の選択手段と、前記読込手段が第１の記憶媒体から読み込んだ映像データのうち、前記第２の選択手段で選択された各シーンを第２の記憶媒体に記録する記録手段とを備えることを特徴とする。
【発明の効果】
【０００７】
本発明によれば、複数の映像データを元に簡易な操作でダイジェスト映像を作成することのできる記録装置を提供することができる。
【発明を実施するための最良の形態】
【０００８】
以下、本発明の記録装置について、図面を参照しながら説明する。
【実施例１】
【０００９】
まず、図１を参照して、本発明の記録装置の一実施形態に係る構成を説明する。この記録装置は、例えばノートブック型の携帯型パーソナルコンピュータ（以下、ＰＣとも称す）１０から実現されている。図１は、ＰＣ１０の構成を示す図である。
【００１０】
ＰＣ１０は、図１に示すように、ＣＰＵ１１１、ノースブリッジ１１３、メインメモリ１１５、グラフィックスコントローラ１１７、サウスブリッジ１２１、ＢＩＯＳ−ＲＯＭ１２３、ハードディスクドライブ（Ｈａｒｄ  Ｄｉｓｋ  Ｄｒｉｖｅ、以下ＨＤＤとも称す）１２５、光ディスクドライブ（Ｏｐｔｉｃａｌ  Ｄｉｓｋ  Ｄｒｉｖｅ、以下ＯＤＤとも称す）１２７、ＴＶチューナデバイス１２９、ネットワークコントローラ１３１、エンベデッドコントローラ／キーボードコントローラＩＣ（以下、ＥＣ／ＫＢＣとも称す）１３３等を備えている。
【００１１】
ＣＰＵ１１１は、本コンピュータ１０の動作を制御するために設けられたプロセッサであり、ＨＤＤ１２５からメインメモリ１１５にロードされる、オペレーティングシステム（以下、単にＯＳとも称す）１０１、及び記録アプリケーション１０２等の各種アプリケーションを実行する。記録アプリケーションプログラム１０２は、例えばＨＤＤ１２５等に記憶された映像データを、ＯＤＤ１２７から光ディスク等に記録するプログラムである。また、本実施例の記録アプリケーションプログラム１０２は、光ディスク等への記録時にダイジェスト映像を作成して記録することができる。尚、本実施例の記録アプリケーション１０２は、ＯＳ１０１上で動作するように構成されている。記録アプリケーション１０２の構成及び動作については、図２以降を参照しながら詳述する。
【００１２】
さらに、ＣＰＵ１１１は、ＢＩＯＳ−ＲＯＭ１２３に格納されたＢＩＯＳ（Ｂａｓｉｃ  Ｉｎｐｕｔ  Ｏｕｔｐｕｔ  Ｓｙｓｔｅｍ）も実行する。ＢＩＯＳはハードウェア制御のためのプログラムである。
【００１３】
ノースブリッジ１１３はＣＰＵ１１１のローカルバスとサウスブリッジ１２１との間を接続するブリッジデバイスである。ノースブリッジ１１３には、メインメモリ１１５をアクセス制御するメモリコントローラも内蔵されている。また、ノースブリッジ１１３は、ＡＧＰ（Ａｃｃｅｌｅｒａｔｅｄ  Ｇｒａｐｈｉｃｓ  Ｐｏｒｔ）バス等を介してグラフィックスコントローラ１１７との通信を実行する機能も有している。
【００１４】
グラフィックスコントローラ１１７は本ＰＣ１０のディスプレイモニタとして使用されるＬＣＤ１１９を制御する表示コントローラである。このグラフィックスコントローラ１１７はＯＳ１０１や記録アプリケーション１０２等によりビデオメモリ（以下、ＶＲＡＭとも称す９１１７Ａに書き込まれた画像データをＬＣＤ１１９に表示する。
【００１５】
サウスブリッジ１２１は、ＬＰＣ（Ｌｏｗ  Ｐｉｎ  Ｃｏｕｎｔ）バス上の各デバイス、及びＰＣＩ（Ｐｅｒｉｐｈｅｒａｌ  Ｃｏｍｐｏｎｅｎｔ  Ｉｎｔｅｒｃｏｎｎｅｃｔ）バス上の各デバイスを制御する。また、サウスブリッジ１２１は、ＨＤＤ１２５、ＯＤＤ１２７を制御するためのＩＤＥ（Ｉｎｔｅｇｒａｔｅｄ  Ｄｒｉｖｅ  Ｅｌｅｃｔｒｏｎｉｃｓ）コントローラを内蔵している。
【００１６】
ＴＶチューナデバイス１２９は、放送波により放送される放送番組データを受信する受信デバイスである。ＴＶチューナデバイス１２９で受信された放送番組データは、メインメモリ１１５上で実行される記録アプリケーション１０２により、ＨＤＤ１２５や光ディスク等に記録することができる。
【００１７】
ＥＣ／ＫＢＣ１３３は、電源管理のためのエンベデッドコントローラと、キーボード（ＫＢ）１３５及びタッチパッド１３７を制御するためのキーボードコントローラとが集積された、１チップマイクロコンピュータである。ＥＣ／ＫＢＣ１３３は、ユーザによる電源ボタン１３９の操作に応じてＰＣ１０を電源オン／電源オフする機能を有している。本ＰＣ１０の各コンポーネントに供給される動作電源は、本ＰＣに内蔵されたバッテリ（図中ＢＡＴＴ）１４１、又はＡＣアダプタ１４３を介して外部から供給される外部電源から生成される。
【００１８】
記録アプリケーション１０２の動作は、ユーザによる、キーボード１３５、タッチパッド１３７、図示しないマウスのような入力装置のみならず、図示しない外部のリモコンユニットの操作によっても実行することができる。
【００１９】
ネットワークコントローラ１３１は有線又は無線のネットワークに接続するための通信デバイスであり、インターネット等の外部ネットワークとの通信を実行するために使用される。
【００２０】
次に、図２を参照して、記録アプリケーションプログラム１０２の機能構成を説明する。
記録アプリケーションプログラム１０２は、上述したように、ＨＤＤ１２５等の記録媒体に記録された複数の映像データを元にダイジェスト映像を作成し、該ダイジェスト映像を光ディスクＤ等の記録媒体に記録する機能を有するアプリケーションプログラムである。尚、本実施例では以下ＨＤＤ１２５から光ディスクＤに書き込む場合を例に説明を行うが、これに限られるものではなく、ＨＤＤ１２５に記憶される映像データから作成したダイジェスト映像を同じＨＤＤ１２５内に書き込んでも良いし、光ディスクＤに記憶に記憶される映像データから作成したダイジェスト映像をＨＤＤ１２５に書き込んでも良い。
【００２１】
記録アプリケーションプログラム１０２は、コンテンツ管理部１０２ａと、書込データ選択部１０２ｂと、データ書込部１０２ｃ、ＧＵＩ処理部１０２ｄを備えている。
【００２２】
コンテンツ管理部１０２ａは、ＨＤＤ１２５内に記憶されている複数の映像データを管理する。このとき、コンテンツ管理部１０２ａはＨＤＤ１２５内に記憶されている映像データを、階層構造を有するフォルダ構造で管理する。
【００２３】
書込データ選択部１０２ｂは、光ディスクＤに書込むダイジェスト映像を作成するための映像データを複数同時に選択すると共に、ダイジェスト映像を構成するシーン（チャプタ）を選択する機能を持つ。この選択方法については図３を参照しながら詳述するが、例えば、ユーザの指示に応じて、奇数チャプタ／偶数チャプタ等のシーン（チャプタ）を、ダイジェスト映像を作成するシーンとして選択する。
【００２４】
データ書込部１０２ｃは、書込データ選択部１０２ｂで選択された1以上の各シーンを、ダイジェスト映像としてＯＤＤ１２７から光ディスクＤに書込む機能を有する。また、ダイジェスト映像を構成する映像データにコンテンツ保護が施されている場合には、該映像データは光ディスクＤにＭＯＶＥされたものとして、ダイジェスト映像の書込に伴って該映像データをＨＤＤ１２５から削除する機能も持つ。
【００２５】
ＧＵＩ処理部１０２ｄは、操作画面をＬＣＤ１１９に表示すると共に、ユーザによるＫＢ１３５、タッチパッド１３７等の操作に応じて、ダイジェスト映像の作成方法等についての各種制御をコンテンツ管理部１０２ａ、書込データ選択部１０２ｂ、データ書込部１０２ｃに対して行う。尚、ＬＣＤ１１９に表示する操作画面の例については、図５、及び図６を参照しながら後述する。
【００２６】
図３は、本実施例における記録アプリケーションプログラム１０２のダイジェスト映像作成方法について説明するための図である。
本実施例の記録アプリケーションプログラム１０２では、ユーザが特定のフォルダを選択すると、該フォルダ内の映像データからダイジェスト映像を作成して光ディスクＤに記録することができる。図３の例では、ユーザがＨＤＤ１２５内にある「野球」という名前のフォルダを選択し、更に、ダイジェスト映像の作成方法として「偶数チャプタ」を選択したものとする。
【００２７】
図３の例では、「野球」という名前のフォルダには、タイトル１乃至５の５つの映像データが格納されている。書込データ選択部１０２ｂは、フォルダ「野球」内に格納されている映像データであるタイトル１乃至５のうち、ユーザの指定に従って偶数チャプタのシーンのみを選択する。通常ユーザは、重要なシーンの前後、ＣＭの前後等の区切りでチャプタを分けることが多い。よってそのようにチャプタを分けた場合には、必要なシーンは交互に来ることとなる。そこで図３の例では、偶数チャプタのみを選択してダイジェスト映像を作成することとしている。
【００２８】
具体的には、図３の例では、チャプタ１乃至５まであるタイトル１についてはチャプタ２及び４を、チャプタ１及び２があるタイトル２についてはチャプタ２を、チャプタ１乃至７まであるタイトル３についてはチャプタ２、４、６を、チャプタ１乃至４まであるタイトル５についてはチャプタ２を選択する。尚、タイトル４は複数のチャプタに区切られていないので、タイトル４からはダイジェスト映像に入るシーンは選択されていない。
【００２９】
データ書込部１０２ｃは、書込データ選択部１０２ｂが選択したこれらのシーンをＯＤＤ１２７から光ディスクＤに書込むように書込制御を行う。
尚、図３の例では偶数チャプタについてダイジェスト映像を作成した場合について説明したが、書込データ選択部１０２ｂによるシーン選択方法についてはこれに限られるものではない。例えば。奇数チャプタを選択しても良いし、或いは、ユーザが予め選択しておいたチャプタや、優先順位（Ｒａｔｉｎｇ）により高い優先順位をつけていたチャプタを、ダイジェスト映像を作成するシーンとして選択しても良い。
【００３０】
続いて、図４を参照しながら本実施例の記録アプリケーション１０２の動作について説明する。
まず、記録アプリケーション１０２の書込データ選択部１０２ｂは、ＧＵＩ処理部１０２ｄが表示する操作画面でのユーザの操作に応じて、ダイジェスト映像を作成するフォルダを選択する（Ｓ４０１）。図５は、このときＧＵＩ処理部１０２ｄがＬＣＤ１１９に表示する操作画面の例を示す図である。
【００３１】
図５の例では、「野球」という名前のフォルダを示すアイコン５１、同じく「ＣＭ集」という名前のフォルダを示すアイコン５２、「ドラマ」という名前のフォルダを示すアイコン５３を表示している。また、アイコン５１乃至５３のうちの１つを選択するためのカーソル５４も表示している。ユーザは、ＫＢ１３５やタッチパッド１３７の操作によりカーソル５４を動かし、特定のフォルダのアイコンを選択する。
【００３２】
書き込みデータ選択部１０２ｂは、ユーザに選択されたアイコンに対応するフォルダ（図３、図５の例ではフォルダ「野球」）に含まれる映像データを、ダイジェスト映像を作成する映像データとして選択する。
【００３３】
次に、書込データ選択部１０２ｂは、ダイジェスト映像を構成するシーンを、ＧＵＩ処理部１０２ｄが表示する操作画面でのユーザの操作に応じて選択する（Ｓ４０２）。図６は、このときＧＵＩ処理部１０２ｄがＬＣＤ１１９に表示する操作画面の例を示す図である。
【００３４】
図６の例では、「野球フォルダのダイジェストディスクを作成します。ダイジェストディスク作成後は、野球フォルダのタイトルが削除されます」というメッセージと共に、ダイジェスト映像を作成するシーンを選択するためのボタン６１が表示されている。このボタン６１は、偶数チャプタ、奇数チャプタ、選択チャプタのいずれかを選択するものであり、ユーザはＫＢ１３５やタッチパッド１３７を操作して１つの項目を選択する。図６の例では、「偶数チャプタ」の項目が選択されている
【００３５】
更に、選択項目（図６の例では「偶数チャプタ」）に基づいてダイジェスト映像を作成する際の容量について、「転送メディア３．９ＧＢ／４．６ＧＢ  ＯＫ！」というメッセージと共に、グラフ６２で示している。即ち、光ディスクＤがＤＶＤ（Ｄｉｇｉｔａｌ  Ｖｅｒｓａｔｉｌｅ  Ｄｉｓｋ）である場合、記憶容量は約４．６ＧＢであるので、３．９ＧＢとなる偶数チャプタによるダイジェスト映像をＤＶＤに記録することが可能である旨、メッセージ及びグラフ６２で示している。
【００３６】
また、グラフ６２の下に、プレビューアイコン６３、ＯＫアイコン６４、キャンセルアイコン６５を表示している。ユーザは、これらの３つのアイコンのうちいずれかを選択して次の処理を決定することができる。
【００３７】
ユーザがプレビューアイコン６３を選択した場合には（Ｓ４０３の「プレビュー」）、実際にダイジェスト映像を光ディスクＤに記録する前に、どのような映像となるかにつき一度再生する（Ｓ４０４）。これにより、ユーザはダイジェスト映像を予め確認することができるので、例えば偶数チャプタによりダイジェスト映像を作成する場合に、重要なシーンと重要でないシーンとがユーザの意図と異なっていた場合等に対応することができるようになる。
【００３８】
ユーザが録画アイコン６５を選択した場合には（Ｓ４０３の「録画」）、データ書込部１０２ｃは、書込データ選択部１０２ｂが選択した映像データの各シーンについて光ディスクＤへの書込みを行う。尚このとき、ダイジェスト映像の一部を構成するシーンを含む映像データが、著作権保護がなされていてそれ以上複製を作成することができない映像データである場合には、データ書込部１０２ｃは該映像データをＨＤＤ１２５から削除する（いわゆるＭＯＶＥ処理）。尚、場合に応じては、該映像データのうち光ディスクＤに書込んだシーンに相当するデータだけをＨＤＤ１２５から削除するようにしても良い。
【００３９】
更に、ダイジェスト映像の容量が記録先である光ディスクＤの容量を超過している場合には、光ディスクＤに書込めなかった映像データについては、ＨＤＤ１２５から削除しないように制御しても良い。
【００４０】
次に、データ書込部１０２ｃは、Ｓ４０１で選択されたフォルダ内に、複数のシーンに分割されていない（チャプタに区切られていない）映像データが存在するか否かを判断する（Ｓ４０６）。もし複数のシーンに分割されていない映像データがあれば（Ｓ４０６のＹ）、該映像データはユーザにとってあまり重要ではないデータであるものと推測されるので、データ書込部１０２ｃはＨＤＤ１２５から該データを削除する。
【００４１】
通常、スポーツやＣＭなどのダイジェストを作成する場合、ある程度長期間の映像データを蓄積することとなる。例えばスポーツについて１シーズン終了後にダイジェストを作成すると、初期のタイトルについては、ダイジェスト対象チャプタがどこだったのかわからなくことが多く、また、チャプタ選択作業が膨大となる。更に、ダイジェスト映像に採用されなかった映像データの削除にも非常に多くの手間を必要とする。しかしながら、以上説明したように本実施例では、ある特定のフォルダと、ダイジェスト映像を作成するためのシーン選択方法とを選択するだけで、複数の映像データからダイジェスト映像を作成することができるため、ユーザの操作負荷を大幅に削減することができるようになる。
【図面の簡単な説明】
【００４２】
【図１】本発明の実施例１に係るパーソナルコンピュータの構成を示す図。
【図２】本発明の実施例１に係る記録アプリケーションプログラムの機能構成を示す図。
【図３】本発明の実施例１に係る記録アプリケーションプログラムのダイジェスト映像作成方法について説明するための図。
【図４】本発明の実施例１に係る記録アプリケーションの処理の流れを示すフローチャート。
【図５】本発明の実施例１に係る記録アプリケーションが表示する操作画面の例を示す図。
【図６】本発明の実施例１に係る記録アプリケーションが表示する操作画面の例を示す図。
【符号の説明】
【００４３】
１０・・・ＰＣ
５１、５２、５３・・・アイコン
５４・・・カーソル
６１・・・ボタン
６２・・・グラフ
６３・・・プレビューアイコン
６４・・・ＯＫアイコン
６５・・・キャンセルアイコン
１０１・・・ＯＳ
１０２・・・記録アプリケーション
１０２ａ・・・コンテンツ管理部
１０２ｂ・・・書込データ選択部
１０２ｃ・・・データ書込部
１０２ｄ・・・ＧＵＩ処理部
１１１・・・ＣＰＵ
１１３・・・ノースブリッジ
１１５・・・メインメモリ
１１７・・・グラフィックスコントローラ
１１７Ａ・・・ＶＲＡＭ
１１９・・・ＬＣＤ
１２１・・・サウスブリッジ
１２３・・・ＢＩＯＳ−ＲＯＭ
１２５・・・ＨＤＤ
１２７・・・ＯＤＤ
１２９・・・ＴＶチューナ
１３１・・・ネットワークコントローラ
１３３・・・ＥＣ／ＫＢＣ（エンベデッドコントローラ／キーボードコントローラ）
１３５・・・ＫＢ（キーボード）
１３７・・・タッチパッド
１３９・・・電源ボタン
１４１・・・ＢＡＴＴ（バッテリ）
１４３・・・ＡＣアダプタ
【図１】
2009089053.tif 000003
【図２】
2009089053.tif 000004
【図３】
2009089053.tif 000005
【図４】
2009089053.tif 000006
【図５】
2009089053.tif 000007
【図６】
2009089053.tif 000008